(57)【要約】【課題】小さな変位で所定の弾性力を発揮することができるため金具の設置が容易であり、且つ、クリープ現象によりヘタって弾性力が低下しにくいパネルの固定金具を提供する。【解決手段】所定間隔をおいて立設された支柱（Ｈ１）間に差し込まれたパネル（パネル枠Ｗ）を、折り曲げ加工された金属板の弾性力で固定するパネルの固定金具１において、鉛直断面において上下に直線状に伸びる第１縦辺部３と、この第１縦辺部３の下端から上方へ折り返された鉛直断面くの字状の第２縦辺部４と、を備え、これらの第１縦辺部３と第２縦辺部４とは、第２縦辺部の開口端側で係止部５により互いに係止された状態で前記パネルと前記支柱間に差し込まれていることにより、第１縦辺部３及び第２縦辺部４全体が弾性変形して弾性力を発揮する構成とする。【選択図】図１
2017211065.tif 000002
【特許請求の範囲】
【請求項１】
所定間隔をおいて立設された支柱間に差し込まれたパネルを、折り曲げ加工された金属板の弾性力で固定するパネルの固定金具であって、
鉛直断面において上下に直線状に伸びる第１縦辺部と、この第１縦辺部の下端から上方へ折り返された鉛直断面くの字状の第２縦辺部と、を備え、
これらの第１縦辺部と第２縦辺部とは、第２縦辺部の開口端側で係止部により互いに係止された状態で前記パネルと前記支柱間に差し込まれていることにより、前記第１縦辺部及び前記第２縦辺部全体が弾性変形して前記弾性力を発揮していること
を特徴とするパネルの固定金具。
【請求項２】
第１縦辺部と第２縦辺部とは、最大離間距離が狭くなると、第１縦辺部と第２縦辺部との間の折り返し部分が、開く方向に弾性変形して前記弾性力が発揮される鉛直断面において偏平な三角形状となっていること
を特徴とする請求項１に記載のパネルの固定金具。
【請求項３】
前記第１縦辺部には、前記パネルと係合する係合部が形成されていること
を特徴とする請求項１又は２に記載のパネルの固定金具。
【請求項４】
前記係合部は、前記パネルに形成された係合凹部と係合する、前記第１縦辺部から切り起こされた係合爪であること
を特徴とする請求項３に記載のパネルの固定金具。
【請求項５】
前記係止部は、第１縦辺部の上端付近の金属板から切り起こされ係止爪であり、この係止爪は、左右の両端に前記第２縦辺部の上端を掛け止める鉤状の掛止片を有すること
を特徴とする請求項１ないし４のいずれかに記載のパネルの固定金具。
【請求項６】
所定間隔をおいて立設され、縦方向に形成された溝部を有する複数の支柱と、これらの支柱の対向する前記溝部に差し込まれるパネルと、を備えたパネルの固定構造であって、
請求項１ないし５のいずれかに記載のパネルの固定金具が前記パネルと前記支柱との間に差し込まれて前記パネルが前記支柱に固定されていること
を特徴とするパネルの固定構造。
【請求項７】
前記パネルの枠には、係合凹部が形成され、前記固定金具には、前記第１縦辺部から前記枠側へ切り起こされた係止爪が形成され、前記係合凹部に前記係止爪が嵌り込んで係合していること
を特徴とする請求項６に記載のパネルの固定構造。
【発明の詳細な説明】
【技術分野】
【０００１】
本発明は、高速道路や線路脇などの騒音源に沿って設置される遮音壁の遮音パネルを、金属板の弾性復元力を利用してＨ形鋼などからなる支柱に固定する固定金具及びパネルの固定構造に関するものである。
【背景技術】
【０００２】
従来、Ｈ形鋼などからなる支柱が所定間隔をおいて立設されたうえ、そのＨ形鋼のフランジ内に遮音パネルが差し込まれた遮音壁が設置されており、高速道路、線路、工場等の騒音源から騒音を遮蔽（遮音）することが行われている。
【０００３】
この遮音壁の遮音パネルの支柱（Ｈ形鋼等）への固定は、遮音パネルと支柱であるＨ形鋼のフランジとの間の隙間に、鋼板などの金属板から折り曲げ加工された固定金具を打ち込んで、固定金具の板バネとしての弾性復元力で押圧固定するものであった。このため、交通量が少ない夜間に遮音パネルを設置する際に、固定金具をハンマー等で遮音パネルと支柱との隙間に打ち込む際の騒音が問題となっていた。
【０００４】
このような問題を解決することを目的として、例えば、特許文献１には、折曲部を介してＶ字状をなす側板(２)及びバネ板(３)と、該バネ板(３)の頂部から側板側に鋭角状に折曲されており更にその先端が僅かにバネ板(３)側に折曲されている折曲片(４)とから形成されており、Ｈ形鋼から成る支柱(６)間に落し込んで施工される防音パネルやプラスチック板パネルの壁パネル(７)の両側端で該支柱(６)のフランジ(６ａ)との間隙に打ち込まれて該壁パネル(７)を該支柱(６)に固定する壁パネル用固定金具において、該側板(２)の中央部が一辺を残して切り欠かれて該一辺を支点としてバネ板(３)側に折曲されている引掛用舌片(２ａ)が該折曲片(４)に穿設されている引掛用舌片受け口(４ａ)に引掛けて固定されている壁パネル用固定金具(１)が開示されている（特許文献１の特許請求の範囲の請求項１、図１、図２等参照）。
【０００５】
しかし、特許文献１に記載の壁パネル用固定金具は、遮音パネルと支柱のＨ形鋼のフランジ間に打ち込む際に、引掛用舌片が引掛用舌片受け口に引掛けて固定されているので、打込みを容易にし、打込回数を減少させることはできるものの、引掛用舌片を引掛用舌片受け口から外す作業が必要なうえ、鋭角に折り曲げ加工された部分の弾性復元力を利用して押圧固定しているため、壁パネルに作用する風圧などの繰り返し荷重によるクリープ現象でヘタって、固定金具の鋭角に折り曲げ加工された部分の弾性復元力が徐々に低下してしまうという問題があった。
【先行技術文献】
【特許文献】
【０００６】
【特許文献１】特開２００１−６５５２３号公報
【発明の概要】
【発明が解決しようとする課題】
【０００７】
そこで、本発明は、前述した問題に鑑みて案出されたものであり、その目的とするところは、小さな変位で所定の弾性力を発揮することができるため金具の設置が容易であり、且つ、クリープ現象によりヘタって弾性力が低下しにくいパネルの固定金具を提供することにある。
【課題を解決するための手段】
【０００８】
第１発明に係るパネルの固定金具は、所定間隔をおいて立設された支柱間に差し込まれたパネルを、折り曲げ加工された金属板の弾性力で固定するパネルの固定金具であって、鉛直断面において上下に直線状に伸びる第１縦辺部と、この第１縦辺部の下端から上方へ折り返された鉛直断面くの字状の第２縦辺部と、を備え、これらの第１縦辺部と第２縦辺部とは、第２縦辺部の開口端側で係止部により互いに係止された状態で前記パネルと前記支柱間に差し込まれていることにより、前記第１縦辺部及び前記第２縦辺部全体が弾性変形して前記弾性力を発揮していることを特徴とする。
【０００９】
第２発明に係るパネルの固定金具は、第１発明において、第１縦辺部と第２縦辺部とが、第１縦辺部と第２縦辺部との最大離間距離が狭くなると、第１縦辺部と第２縦辺部との間の折り返し部分が、開く方向に弾性変形して前記弾性力が発揮される鉛直断面において偏平な三角形状となっていることを特徴とする。
【００１０】
第３発明に係るパネルの固定金具は、第１発明又は第２発明において、前記第１縦辺部には、前記パネルと係合する係合部が形成されていることを特徴とする。
【００１１】
第４発明に係るパネルの固定金具は、第３発明において、前記係合部は、前記パネルに形成された係合凹部と係合する、前記第１縦辺部から切り起こされた係合爪であることを特徴とする。
【００１２】
第５発明に係るパネルの固定金具は、第１発明ないし第４発明のいずれかの発明において、前記係止部は、第１縦辺部の上端付近の金属板から切り起こされ係止爪であり、この係止爪は、左右の両端に前記第２縦辺部の上端を掛け止める鉤状の掛止片を有することを特徴とする。
【００１３】
第６発明に係るパネルの固定構造は、所定間隔をおいて立設され、縦方向に形成された溝部を有する複数の支柱と、これらの支柱の対向する前記溝部に差し込まれるパネルと、を備えたパネルの固定構造であって、請求項１ないし５のいずれかに記載のパネルの固定金具が前記パネルと前記支柱との間に差し込まれて前記パネルが前記支柱に固定されていることを特徴とする。
【００１４】
第７発明に係るパネルの固定構造は、第６発明において、前記パネルの枠には、係合凹部が形成され、前記固定金具には、前記第１縦辺部から前記枠側へ切り起こされた係止爪が形成され、前記係合凹部に前記係止爪が嵌り込んで係合していることを特徴とする。
【発明の効果】
【００１５】
第１発明〜第７発明によれば、第１縦辺部と第２縦辺部とは、第２縦辺部の開口端側で係止部により互いに係止された状態でパネルと支柱間に差し込まれていることにより、第１縦辺部及び第２縦辺部全体が弾性変形して弾性力を発揮しているので、小さな変位で所定の弾性力を発揮することができる。このため、固定金具の設置が容易であり、ハンマー等で叩き込まなくてもパネルと支柱との間の隙間に設置することが可能である。また、第１縦辺部及び第２縦辺部全体が弾性変形して前記弾性力を発揮しているので、クリープ現象によりヘタって弾性力が低下するおそれが少ない。
【００１６】
特に、第２発明によれば、第１縦辺部と第２縦辺部との間の折り返し部分が、開く方向に弾性変形して弾性力が発揮されるので、金属板の折り曲げ加工時の変形が大きい第１縦辺部と第２縦辺部との間の鋭角に折り返し部分の負担が少なく、クリープ現象によりヘタって弾性力が低下するおそれがさらに少なくなる。
【００１７】
特に、第３発明及び第４発明によれば、第１縦辺部には、パネルと係合する係合部が形成されているので、固定金具の横ズレを防止することができる。このため、パネルに風圧などの繰り返し荷重が作用しても固定金具が横ズレして外れることを防止することができる。
【００１８】
特に、第４発明によれば、パネルに形成された係合凹部と係合する係合部は、第１縦辺部から切り起こされた係合爪であるので、溶接するなど新たに係合部を取り付ける必要がなく、固定金具の製造コストを低減することができる。
【００１９】
特に、第５発明によれば、係止部は、第１縦辺部の上端付近の金属板から切り起こされ係止爪であるので、新たに溶接等で係止部を取り付ける必要がなく、固定金具の製造コストを低減することができる。また、第５発明によれば、係止爪は、左右の両端に鉤状の掛止片を有しているので、第２縦辺部の上端を確実に掛け止めて、第１縦辺部と第２縦辺部の係止が外れることを防止することができる。
【００２０】
また、第６発明及び第７発明によれば、請求項１ないし５のいずれかに記載のパネルの固定金具がパネルと支柱との間に差し込まれて固定されているので、パネルの固定構造において、固定金具の設置が容易であり、ハンマー等で叩き込まなくてもパネルと支柱との間の隙間に設置することが可能である。また、クリープ現象により固定金具がヘタって弾性力が低下するおそれが少ない。
【００２１】
特に、第７発明によれば、係合凹部に係合部の係止爪が嵌り込んで係合しているので、パネルに風圧などの繰り返し荷重が作用しても固定金具が横ズレして外れることを確実に防止することができる。また、第７発明によれば、係合部が係止爪であるので、溶接するなど新たに係合部を取り付ける必要がなく、固定金具の製造コストを低減することができる。
【図面の簡単な説明】
【００２２】
【図１】本発明の実施形態に係るパネルの固定金具を示す斜視図である。
【図２】同上の固定金具の係止部を主に示す正面側斜視図である。
【図３】同上の固定金具の係合部を主に示す背面側斜視図である。
【図４】同上の固定金具の左側面図である。
【図５】本発明の実施形態に係るパネルの固定構造を示す部分拡大斜視図である。
【図６】同上のパネルの固定構造のパネル枠に固定金具を装着した状態を示す部分拡大斜視図である。
【図７】同上のパネルの固定構造のパネル枠と固定金具の係合状態を主に示す部分拡大斜視図である。
【図８】同上のパネルの固定構造の固定金具でのパネル枠の支柱への固定状態及び係合部の係合状態を、パネル枠の係合凹部を通る鉛直面で切断した状態で示す部分拡大斜視図である。
【図９】同上のパネル枠の支柱への固定状態及び係合部の係合状態を示す鉛直断面図である。
【図１０】同上のパネルの固定構造における固定金具の弾性変形状態を示す側面図であり、（ａ）が変形前、（ｂ）が変形後である。
【図１１】同上の固定金具の弾性変形状態を示す斜視図であり、（ａ）が変形前、（ｂ）が変形後である。
【発明を実施するための形態】
【００２３】
以下、本発明の実施形態に係るパネルの固定金具及びパネルの固定構造について、図面を参照しながら詳細に説明する。
【００２４】
＜パネルの固定金具＞
先ず、図１〜図４を用いて、本発明の実施形態に係るパネルの固定金具について説明する。後で詳述するように、固定するパネルとして、高速道路脇に設置される遮音壁の遮音パネルを例示し、その遮音パネルを、所定間隔をおいて立設された支柱であるＨ形鋼に本実施形態に係るパネルの固定金具を用いて押圧固定する場合を例示して説明する。
【００２５】
図１〜図３は、本発明の実施形態に係るパネルの固定金具を示す斜視図であり、図２は、係止部を主に示す正面側斜視図、図３は、係合部を主に示す背面側斜視図である。また、図４は、本発明の実施形態に係るパネルの固定金具の左側面図である。
【００２６】
図１〜図４に示すように、本実施形態に係るパネルの固定金具１は、鋼板から折り曲げ加工された金具であり、Ｈ形鋼のフランジと遮音パネルとの間の隙間に差し込んで、鋼板の復元弾性力で遮音パネルとフランジを押圧して所定位置に固定する機能を有している。この固定金具１は、図４等に示すように、鉛直断面において、横方向に斜め下方に伸びる上辺部２と、この上辺部２と連続して上下に伸びる第１縦辺部３と、この第１縦辺部３と連続して下端から上方へ折り返された第２縦辺部４など、から構成されている。
【００２７】
（上辺部）
この上辺部２は、図１〜図４に示すように、鉛直断面において横方向に斜め下方に伸びる直線状の平板からなる部位であり、パネルの上枠（Ｗ１）の上面に当接して設置され、固定金具１が落下しないように掛け止める機能を有している（図６等も参照）。
【００２８】
また、本実施形態に係る固定金具１の上辺部２には、落下防止用のワイヤ（Ｗ３）が挿通されるワイヤ挿通孔２０が穿設されている（図６等も参照）。このワイヤ挿通孔２０は、ワイヤが挿通されて、事故などで遮音壁が破壊されたような場合であっても、固定金具１が落下しないようにするためのものであり、高速道路などの下に一般道が通っているような高架橋に遮音壁が設置される場合に設けられる。よって、本発明の必須の発明特定事項でないことは云うまでもない。
【００２９】
（第１縦辺部）
第１縦辺部３は、図１、図３、図４に示すように、鉛直断面において上下に伸びる直線状の平板からなる部位であり、遮音パネルの縦枠（Ｗ２）の側面に沿って設置され、該縦枠（Ｗ２）の側面に当接して押圧する機能を有している（図６も参照）。
【００３０】
この第１縦辺部３は、前述の上辺部２の一端と連続しており、その上辺部２との交差角度は、パネルの上枠（Ｗ１）の上面の角度に応じた９０度より少しだけ開いた鈍角となっている。この上辺部２と第１縦辺部３との間の角部には、図２等に示すように、後述の係止部５が形成されている。
【００３１】
また、本実施形態に係る固定金具１の第１縦辺部３には、パネルの縦枠の側面に形成された係合凹部（Ｗ０）と係合する係合部である係合爪３０が設けられている。この係合爪３０は、パンチング加工等により、第１縦辺部３の母材となる平板鋼板から切り起こされた係止爪であり、パネル枠（Ｗ）と係合して固定金具の横ズレを防止する機能を有している。このため、遮音パネルに風圧などの繰り返し荷重が作用しても固定金具が横ズレして外れることを防止することができる。
【００３２】
なお、このように、係合爪３０は、第１縦辺部３の母材となる平板鋼板から切り起こされて形成されているため、溶接するなど新たに係合部として係合爪を取り付ける必要がなく、固定金具１の製造コストを低減することができる。但し、本発明に係る係合爪は、切り起こされた爪だけでなく、溶接などで他の部材を接合して爪にしてもよい。
【００３３】
（第２縦辺部）
第２縦辺部４は、図１〜図４に示すように、前述の第１縦辺部３の下端と連続し、その第１縦辺部３の下端から上方へ折り返された部位であり、平板鋼板から略中間位置において鉛直断面がくの字状の鈍角に屈曲加工され、屈曲部４０が形成されている。
【００３４】
この第２縦辺部４は、遮音パネルとＨ形鋼（Ｈ１）との間の隙間に差し込まれていることにより、主に、屈曲部４０が偏平に開いて弾性変形することにより、その復元力により弾性力を発揮する板バネとしての機能を有している。
【００３５】
また、第２縦辺部４の上端は、後述の係止部５に掛け止められて係止されており、図４等に示すように、第１縦辺部３と第２縦辺部４とは、第１縦辺部３の高さ方向の略中間位置に屈曲部４０の角部が位置する偏平な三角形状を形成している。
【００３６】
（係止部）
係止部５は、上辺部２と第１縦辺部３との間の角部に、母材である鋼板からパンチング加工等により切り起こされて形成された係止爪５０であり、第２縦辺部４の上端を掛け止めて第２縦辺部４が開いたり、上方へズレたりしないように係止する機能を有している。
【００３７】
また、本実施形態に係る係止爪５０は、図２等に示すように、左右の両端に一対の鉤状の掛止片５１が設けられている。このため、一対の掛止片５１で第２縦辺部４の上端が開かないように確実に掛け止めることができ、後述のように弾性変形して小さな変位で所定の弾性力を発揮することができる。
【００３８】
なお、係止爪５０は、母材である鋼板から切り起こされて形成されているので、前述の係合爪３０と同様に、新たに溶接等で係止部５を取り付ける必要がなく、固定金具の製造コストを低減することができる。
【００３９】
以上のように、本実施形態に係る固定金具１として、係止部５を上辺部２と第１縦辺部３との間の角部に設け、第２縦辺部４の上端を係止する場合を例示したが、第２縦辺部４の上端に係合部が形成され、第１縦辺部３の上端付近に係合されるものであっても構わない。要するに、第１縦辺部３と第２縦辺部４とが、上端付近で係止部により互いに係止される構成であればよい。
【００４０】
＜パネルの固定構造＞
次に、図５〜図９を用いて、本発明の実施形態に係るパネルの固定構造について説明する。固定するパネルとして、高速道路脇に設置される遮音壁の遮音パネルを例示し、その遮音パネルを、所定間隔をおいて立設された支柱であるＨ形鋼Ｈ１に前述の固定金具１を用いて押圧固定する場合を例示して説明する。
【００４１】
図５は、パネルの固定構造１０の固定金具１でのパネル枠Ｗの支柱Ｈ１への固定状態を示す部分拡大斜視図であり、図６は、パネルの固定構造１０のパネル枠Ｗに固定金具１を装着した状態を示す部分拡大斜視図である。
【００４２】
図５等に示すように、本発明の実施形態に係るパネルの固定構造１０は、遮音パネルのパネル枠Ｗを、支柱であるＨ形鋼Ｈ１のフランジ間の所定位置に固定する固定構造である。
【００４３】
（パネル枠）
本実施形態に係るパネルであるパネル枠Ｗは、アルミ製の矩形の枠体であり、上枠Ｗ１と、図示しない下枠と、左右一対の縦枠Ｗ２から構成され、内側に図示しないアクリル樹脂等からなる透明な板が嵌め込まれ、透明な板から光を透過しつつ騒音を反射する一般に透光板と呼ばれる遮音パネルを構成する枠体である。
【００４４】
勿論、このパネル枠Ｗは、アルミ製ではなく樹脂や防錆処理された鋼製の枠体であってもよく、透光板ではない吸音材を装填した箱体からなる一般的な遮音パネルを構成するものであってもよい。また、パネル枠を有しない箱体からなるパネルや遮音パネルではない壁面パネルを構成するパネル等であっても本発明を適用することが可能である。
【００４５】
（支柱）
本実施形態に係る支柱であるＨ形鋼Ｈ１は、パネル枠Ｗの幅に応じた所定間隔をおいて複数立設されている。勿論、本発明に係る支柱は、Ｈ形鋼に限られるものではなく、溝形鋼やＩ形鋼など、縦方向に形成された溝部を有する支柱であり、相対向する溝部内にパネル枠Ｗを装着可能な構成であればよい。
【００４６】
（固定金具）
本実施形態に係るパネルの固定構造１０の固定金具は、前述の固定金具１であり、図５に示すように、パネル枠Ｗの左右両端の上方の角部に一対の固定金具１が装着され、その弾性力でパネル枠ＷとＨ形鋼Ｈ１のフランジ内側を押圧して固定している。
【００４７】
具体的には、図５等に示すように、Ｈ形鋼Ｈ１のフランジ間に遮音パネルのパネル枠Ｗが挿置され、図６等に示すように、落下防止ワイヤＷ３に上辺部２のワイヤ挿通孔２０が挿通されたうえ、パネル枠ＷとＨ形鋼Ｈ１のフランジとの間の隙間に固定金具１がゴムハンマー等で叩き込まれて設置される。また、固定金具は、パネル毎に左右一対計２個ずつ装着されて、その弾性力で遮音パネルを押圧固定する。なお、固定金具１の弾性力の発揮の仕組みは、後で詳述する。
【００４８】
（係合部）
また、本実施形態に係るパネルの固定構造１０には、横ズレ防止手段として係合部が設けられている。図７は、本実施形態に係るパネルの固定構造１０のパネル枠Ｗと固定金具１の係合状態を主に示す部分拡大斜視図であり、図８は、パネルの固定構造１０の固定金具１でのパネル枠Ｗの支柱Ｈ１への固定状態及び係合部の係合状態を、パネル枠の係合凹部を通る鉛直面で切断した状態で示す部分拡大斜視図であり、図９は、その鉛直断面図である。
【００４９】
具体的には、図７〜図９に示すように、パネル枠Ｗの上枠Ｗ１と縦枠Ｗ２とが交差する角部に係合凹部Ｗ０が設けられ、前述のように、固定金具１の第１縦辺部３の背面に係合爪３０が設けられている。そして、図８、図９に示すように、この係合爪３０が係合凹部Ｗ０に嵌り込むことにより、パネル枠Ｗと固定金具１とが係合して横ズレを防止している。このため、遮音パネルに風圧などの繰り返し荷重が作用しても固定金具１が横ズレして外れることを防止することができる。
【００５０】
＜固定金具の弾性変形＞
次に、図１０、図１１を用いて、固定金具１の弾性変形及び弾性力の発揮の仕組みについて詳述する。図１０は、パネルの固定構造１０における固定金具１の弾性変形状態を示す側面図であり、（ａ）が変形前、（ｂ）が変形後である。図１１は、固定金具１の弾性変形状態を示す斜視図であり、（ａ）が変形前、（ｂ）が変形後である。
【００５１】
固定金具１は、パネル枠ＷとＨ形鋼Ｈ１のフランジとの間の隙間に装着される前は、図１０（ａ）、図１１（ａ）となっている。その後、ゴムハンマー等で叩き込まれて隙間に挿入されると、図１０（ｂ）に示すように、第１縦辺部３と第２縦辺部４とが成す三角形状の頂角である屈曲部４０で押し潰されて三角形の頂角の底辺（第１縦辺部３）に対する頂角高さｈ１が頂角高さｈ２となることとなる。
【００５２】
すると、第２縦辺部４のくの字形状が押し潰されて広がることとなり、第２縦辺部４の長さ（高さ）が長くなることとなるが、固定金具１では、前述のように、第２縦辺部４の上端が、係止部５の係止爪５０で係止されてズレ上がらないようになっている。このため、第２縦辺部４が押し潰されて長くなった分、図１０（ｂ）の矢印で示すように、第２縦辺部４の屈曲部４０より上部が、内側（パネル枠Ｗ側）に弾性変位し、第２縦辺部４の屈曲部４０より下部が外側に弾性変位する。また、第２縦辺部４の屈曲部４０より下部の外側への変位に連動し、第１縦辺部３と第２縦辺部４との間の角部が回転することなり、図１０（ｂ）の矢印で示すように、これに釣られて第１縦辺部３の下部が外側へ変位することとなる。
【００５３】
このように、本実施形態に係る固定金具１では、弾性変形する際にも係止部５で第１縦辺部３と第２縦辺部４とが上端で係止されていることにより、第２縦辺部４の屈曲部４０より上部の内側への曲げ変形、第２縦辺部４の屈曲部４０の角度が広がる変形、第２縦辺部４の屈曲部４０より下部の外側への曲げ変形、第１縦辺部３と第２縦辺部４との間の角部の角度が広がる変形、及び第１縦辺部３の下部の曲げ変形が生じることなる。
【００５４】
即ち、固定金具１では、隙間に挿入されることにより、第１縦辺部３及び第２縦辺部４の全体が弾性変形して弾性力を発揮することとなる。このため、小さな変位で所望の弾性力を発揮することができる。
【００５５】
一方、従来の固定金具、例えば、特許文献１に記載の固定金具では、打ち込み時には、引掛用舌片２ａで係止されているものの、弾性力を発揮する際には、引掛用舌片２ａと引掛用舌片受け口４ａとの係合が解かれる。このため、特許文献１に記載の固定金具では、弾性力を発揮する際には、バネ板３、折曲片４は、いずれも、カンチレバー(cantilever：片持ち梁)の先端に力を作用させて鋭角に折り曲げられた角部の角度を狭める変形をさせることとなる（特許文献１の図面の図５、図６等参照）。
【００５６】
固定金具は、平板鋼板から折り曲げ加工されて製作されている関係上、鋭角に折り曲げられた角部は、元々変位量が多いうえ、それをさらに変位が増大する方向である角度を狭める方向に繰り返し変形させることになると、塑性変形が溜まり次第にクリープ現象で復元力が低下し、弾性力が弱くなる。
【００５７】
しかし、本実施形態に係る固定金具１では、鋭角に折り曲げられた第１縦辺部３と第２縦辺部４との間の角部は、角度が広がる方向に変形するので、このようなクリープ現象による復元力の低下のおそれが少ないと云える。
【００５８】
また、本実施形態に係る固定金具１では、元々、カンチレバーではなく、第１縦辺部３と第２縦辺部４とが、上端及び下端で当接した三角形状の板バネとなっている。このため、カンチレバー方式の従来の固定金具と比べて、固定金具１は、図１０（ａ）に示すように、弾性変形前の第１縦辺部３と第２縦辺部４との最大離間距離が小さく、且つ、小さな変位で大きな弾性反発力が発揮できる構成となっている。
【００５９】
このため、固定金具１によれば、ハンマー等で叩き込まなくてもパネルと支柱との間の隙間に容易に設置することが可能である。また、第１縦辺部及び第２縦辺部全体が弾性変形して弾性力を発揮しているので、クリープ現象により金具の板バネ部分がヘタって固定金具１の弾性力が低下するおそれが少ない。
【００６０】
以上説明した本実施形態に係るパネルの固定金具１及びパネルの固定構造１０によれば、小さな変位で必要な弾性力を発揮することができる。このため、固定金具１の設置が容易であり、ハンマー等で叩き込まなくてもパネル枠ＷとＨ形鋼Ｈ１との間の隙間に設置することが可能である。また、第１縦辺部３及び第２縦辺部４全体が弾性変形して必要な弾性力を発揮しているので、クリープ現象によりヘタって固定金具１の弾性力が低下するおそれが少ない。
【００６１】
また、パネルの固定金具１及びパネルの固定構造１０によれば、パネル枠Ｗの係合凹部Ｗ０と係合する係合爪３０が形成されているので、固定金具１の横ズレを確実に防止することができる。このため、遮音パネルなどのパネルに風圧などの繰り返し荷重が作用しても固定金具１が横ズレして外れることを防止することができる。
【００６２】
その上、パネルの固定金具１及びパネルの固定構造１０によれば、係合爪３０や係止爪５０は、母材である鋼板から切り起こされて形成されているので、新たに溶接等で係合部や係止部５を取り付ける必要がなく、固定金具１の製造コストを低減することができる。
【００６３】
以上、本実施形態に係るパネルの固定金具及びパネルの固定構造について詳細に説明したが、前述した又は図示した実施形態は、いずれも本発明を実施するにあたって具体化した一実施形態を示したものに過ぎず、これらによって本発明の技術的範囲が限定的に解釈されてはならないものである。
【００６４】
特に、固定金具の素材としは、鋼製の金具を例示したが、弾性体である金属板からなるものであればよい。また、固定するパネルとしてパネル枠を有する遮音パネルを例示して説明したが、遮音パネルに限られず、縦方向に溝部を有する支柱にパネルを取り付けて固定する際には、本発明を適用することができる。
【符号の説明】
【００６５】
１                                        ：固定金具（パネルの固定金具）
１０                                      ：固定構造（パネルの固定構造）
２                                        ：上辺部
２０                                      ：ワイヤ挿通孔
３                                        ：第１縦辺部
３０                                      ：係合爪（係合部）
４                                        ：第２縦辺部
４０                                      ：屈曲部
５                                        ：係止部
５０                                      ：係止爪
５１                                      ：掛止片
Ｈ１                                      ：Ｈ形鋼（支柱）
Ｗ                                        ：パネル枠（パネル）
Ｗ０                                      ：係合凹部
Ｗ１                                      ：上枠（パネル枠）
Ｗ２                                      ：縦枠（パネル枠）
Ｗ３                                      ：落下防止ワイヤ
【図１】
2017211065.tif 000003
【図２】
2017211065.tif 000004
【図３】
2017211065.tif 000005
【図４】
2017211065.tif 000006
【図５】
2017211065.tif 000007
【図６】
2017211065.tif 000008
【図７】
2017211065.tif 000009
【図８】
2017211065.tif 000010
【図９】
2017211065.tif 000011
【図１０】
2017211065.tif 000012
【図１１】
2017211065.tif 000013